(57)【要約】【課題】  通信ケーブル等の配線時に使用されるモールの敷設部分を目立たなくすることが可能となるプリント装置及びプリント方法を提供する。【解決手段】  本発明は、配線用モールの敷設予定面の少なくとも一部領域をスキャンすることで取得した原画像データを入力する入力部と、入力された１又は複数の前記原画像データを基に、被プリント媒体使用時における視覚的効果と当該モール敷設予定面の視覚的効果を近づけるようにするためのプリント用画像データを生成する画像生成部とを備え、前記プリント用画像データに基づき前記被プリント媒体にプリントすることを特徴とする。このようにプリントされた当該被プリント媒体を上部側モールとして、あるいは上部側モールに貼着等することで、当該モールの敷設部分を目立たなくする効果を奏し得る。【選択図】  図１
2006218814.tif 000002
【特許請求の範囲】
【請求項１】
配線用モールの敷設予定面の少なくとも一部領域をスキャンすることで取得した原画像データを入力する入力部と、
入力された１又は複数の前記原画像データを基に、被プリント媒体使用時における視覚的効果と当該モール敷設予定面の視覚的効果を近づけるようにするためのプリント用画像データを生成する画像生成部とを備え、
前記プリント用画像データに基づき前記被プリント媒体にプリントすることを特徴とするプリント装置。
【請求項２】
前記入力部は、取得した原画像データに係るスキャン情報も更に入力し、前記画像生成部は、前記スキャン情報を使用して前記プリント用画像データを生成することを特徴とする請求項１に記載のプリント装置。
【請求項３】
配線用モールの敷設予定面の少なくとも一部領域をスキャンすることで取得した原画像データを入力する入力ステップと、
入力された１又は複数の前記原画像データを基に、被プリント媒体使用時における視覚的効果と当該モール敷設予定面の視覚的効果を近づけるようにするためのプリント用画像データを生成する画像生成ステップとを備え、
前記プリント用画像データに基づき前記被プリント媒体にプリントすることを特徴とするプリント方法。
【請求項４】
前記入力ステップにおいて、取得した原画像データに係るスキャン情報も更に入力し、前記画像生成ステップでは、前記スキャン情報を使用して前記プリント用画像データを生成することを特徴とする請求項３に記載のプリント方法。
【発明の詳細な説明】
【技術分野】
【０００１】
本発明は、光ファイバケーブル等の通信ケーブルや電子機器の電源ケーブル等の配線用モール表面に画像を形成するためのプリント装置及びプリント方法に関する。
【背景技術】
【０００２】
一般的に、配線用モールは、配線した通信ケーブル等の保護や固定を主目的として使用されるものであるが、屋内（オフィスビルや一般家庭）等においては、配線したケーブル等を隠し、なるべく目立たなくするという美観的な意味合いも大きい。
【０００３】
このような美観的要求に対して、近年では、モールの色彩が多種提供され、配線作業者は、ケーブル等を配線する壁（紙）の色になるべく近いものを選び、配線に使用することで、当該モール敷設部分を目立たないようにする方策を講じることが可能となっている。
【発明の開示】
【発明が解決しようとする課題】
【０００４】
しかしながら、壁紙等の色に似ている色のモールを選んでも、実際には微妙に双方の色合いが異なっている場合が多い（むしろ色合いが一致する方が少ない）。また、壁紙等に模様がある場合には、仮に色合いが略一致しても壁紙等との適合感が弱まることになる。
【０００５】
このような実情から、現状の対応（即ち、モールの色を多種揃えること）のみでは、美観的側面から見て、配線作業者のニーズに十分に応えているとはいえない。
【０００６】
本発明は、上記実情に鑑みてなされたものであり、モール敷設部分を目立たなくすることを可能にするプリント装置及びプリント方法を提供することを目的とする。
【課題を解決するための手段】
【０００７】
本発明に係るプリント装置は、配線用モールの敷設予定面の少なくとも一部領域をスキャンすることで取得した原画像データを入力する入力部と、入力された１又は複数の前記原画像データを基に、被プリント媒体使用時における視覚的効果と当該モール敷設予定面の視覚的効果を近づけるようにするためのプリント用画像データを生成する画像生成部とを備え、前記プリント用画像データに基づき前記被プリント媒体にプリントすることを特徴とする。
【０００８】
また、本発明に係るプリント方法は、配線用モールの敷設予定面の少なくとも一部領域をスキャンすることで取得した原画像データを入力する入力ステップと、入力された１又は複数の前記原画像データを基に、被プリント媒体使用時における視覚的効果と当該モール敷設予定面の視覚的効果を近づけるようにするためのプリント用画像データを生成する画像生成ステップとを備え、前記プリント用画像データに基づき前記被プリント媒体にプリントすることを特徴とする。
【０００９】
上記構成のプリント装置及びプリント方法では、現地（モールを敷設するオフィスや一般家庭）で取得した原画像データ（具体的には、モールの敷設予定面（例えば、壁面（壁紙も含む）等）を予めハンディスキャナ等の読取装置を走査させて読み取った画像データ）を基にして、プリント用画像データの生成を行う。また、該プリント用画像データは、当該敷設モールで使用される被プリント媒体の使用時の視覚的効果（即ち、見え方）と当該モール敷設予定面の視覚的効果を近づけるようにして生成される。
【００１０】
したがって、前記プリント用画像データに係る画像がプリントされた前記被プリント媒体をモールに使用することで、モール敷設部分とその周囲との見た目の違和感が解消され、当該モール敷設部分を目立たなくすることが可能となる。
【００１１】
また、被プリント媒体としては、モールの一部を構成する（即ち、配線した通信ケーブル等を覆う部分である）長尺なシート状のプラスチック部材（上部側モール）や、あるいは、かかる上部側モールの表面に貼り付け可能なシート状の紙やフィルム（例えば、ポリエチレンテレフタレート（ＰＥＴ）製等）等が想定できる。後者の場合は、かかる被プリント媒体を上部側モール表面に貼り付けることで、直接上部側モール表面にプリントする場合（前者の場合）と同様の効果を奏し得る。
【００１２】
また、取得した原画像データに係るスキャン情報も更に入力し、該スキャン情報を使用して前記プリント用画像データを生成する構成とすると、より正確なプリント用画像データが生成できるので好ましい。
【００１３】
スキャン情報は、ハンディスキャナ等の読取装置を用いて、実際にスキャン（走査）した際の読み取り条件に関する情報であり、例えば、読み取り倍率（当該原画像データの倍率）や原画像データ（換言すれば、スキャンした領域）と当該モールの敷設部分（敷設領域）との位置関係等が該当する。
【発明の効果】
【００１４】
以上のように、本発明のプリント装置及びプリント方法によれば、予め現地等で読み取ったモール敷設部分の画像を当該敷設するモールの表面に形成することが可能となる。したがって、モール敷設部分とその周囲との見た目の違和感を弱め、当該モール敷設部分を目立たなくすることが可能となる。
【発明を実施するための最良の形態】
【００１５】
以下、本発明に係るプリント装置及びプリント方法の一実施形態について図面を参照して説明する。
【００１６】
図１は、本実施形態に係るプリント装置１の概略構成図である。本実施形態のプリント装置１は、インクジェット方式のカラープリンタであり、入力部２から入力した原画像データ及びスキャン情報を基に、画像生成部３はプリント用画像データを生成し、ドライバ４がヘッドユニット５を構成する各色（Ｃ（シアン）、Ｍ（マゼンタ）、Ｙ（イエロー）、Ｋ（ブラック））のインクジェットヘッド５Ｃ、５Ｍ、５Ｙ、５Ｋを制御することで、前記生成したプリント用画像データに係る画像を被プリント媒体６にプリントするものである。
【００１７】
被プリント媒体６は、図２（イ）に示すように長尺な薄い（例えば、幅５ｃｍ、長さ２ｍ、厚さ０．５ｍｍ程度）プラスチック板であり、通信ケーブル等を配線する際に使用されるモールの一部として使用される。本実施形態のモールの構成について説明すると、図２（ロ）に示すように、複数の台座７が、モールの敷設領域９上に敷設方向に沿って所定間隔で配置され（貼着等され）、配線するケーブル８は、各台座７の中央部付近に設けられたケーブル挟持用突起７１，７１の間を通され（両突起の間隔は、ケーブル８より狭くなっている）、ケーブル挟持用突起７１，７１の挟持力によって固定される。
【００１８】
また、各台座７の幅方向（敷設方向と直交する方向）の両端側には、内向きに折曲した係止部７２，７２が設けられており、図２（ハ）に示すように、かかる係止部７２，７２に被プリント媒体６の幅方向（短手方向）の両端部を嵌入させ、固定させることで（正面方向から見ると、略円弧状に反った状態となる）、当該モールが構成される。このように、本実施形態の被プリント媒体６は、上部側モールとして使用される。
【００１９】
次に、モール敷設予定面（敷設部分）の画像取得について説明する。図３（イ）は、モールを敷設する（即ち、ケーブル８を配線する）壁面３１を示しており、点線で囲まれる敷設領域９（その全長は、被プリント媒体６の長手方向における長さと略同一となる。）が、当該モールを敷設する（即ち、ケーブル８を配線する）ために使用される領域を示している。
【００２０】
画像取得は、読取装置３２を用いて行う。読取装置３２は、本実施形態において、複数の光検出素子を一列（ライン状）に配置した、リニアＣＣＤ（Charge Coupled Device：電荷結合素子）を備えたハンディスキャナである。配線作業者は、かかる読取装置３２を副走査方向（図３（ロ）の矢印方向）に移動させて、所定領域ずつ画像を順次読み込ませることで、当該モール敷設予定面の全領域をスキャンする。
【００２１】
また、副走査方向の移動を正確にするため、読取装置３２には、図３（ハ）に示すように位置合わせ手段３３が設けられている。位置合わせ手段３３は、読取装置３２の副走査方向側の側面中央に設けられた先細の小突起である。かかる位置合わせ手段３３により、例えば、図３（ハ）に示すように敷設領域９に描いたセンターライン３４を目印にして、位置合わせをしながら読取装置３２を移動させることが可能となる。尚、位置合わせ手段３３は、これに限定されず、例えば、読取装置３２の上面に形成された該読取装置３２の主走査方向（長手方向）で２分するセンターライン等であってもよい。
【００２２】
以上のようにして読み取った画像データ（原画像データ）は、記録メディアを介して、あるいは、インターネット等の通信網を介して、プリント装置１の入力部２に入力される。
【００２３】
また、当該画像読み取り条件に関する情報（スキャン情報）も入力部２に入力される。スキャン情報は、例えば、読み取り倍率（当該原画像データの倍率）やスキャンした領域と当該モールの敷設部分との位置関係等が該当する。後者の情報（位置関係等）は、モール敷設部分の全領域をスキャンしない（あるいはできない）場合に特に有効である。本実施形態のように、敷設領域９の幅方向（短手方向）よりも主走査方向に読み取り幅の長い読取装置３２を使用して、図３（ハ）のようにして移動させながら全領域をスキャンする場合には、スキャン情報として、読み取り倍率と敷設領域９の幅方向の長さが与えられれば十分であるといえる。
【００２４】
スキャン情報は、画像データと同様に記録メディアを介して、あるいは、インターネット等の通信網を介して、プリント装置１の入力部２に入力することができるが、プリント装置１に備えられる図示しない入力手段（マウス、キーボード等）を用いて、配線作業者が直接に入力することも可能である。
【００２５】
画像生成部３は、入力した複数の原画像データ及びスキャン情報を基に、プリント用画像データの生成を行う。具体的には、スキャン情報（読み取り倍率及び敷設領域９の幅方向の長さ）に従って、必要画像の切り出しや各画像の結合処理を行う。
【００２６】
また、被プリント媒体６の使用時（即ち、上部側モールとして使用されている状態時）では、上述したように、略円弧状に反った状態となるため、かかる状態での視覚的効果（即ち、見え方）と当該モール敷設予定面の視覚的効果を近づけるように、プリント用画像データの生成を行う。具体的には、前記略円弧状に反った状態に対応させるために、取得した原画像データの幅方向の長さ（見た目の長さとなる。）と前記反りの程度とを条件として、使用時における円弧の長さを算出し（図４参照）、これに基づきプリント用画像データの幅方向（短手方向）の長さ（実際に被プリント媒体６にプリントする幅方向の長さとなる。）を決定する。
【００２７】
さらに、各画像の結合処理においては、図５に示すように、結合部の模様が不連続にならないように補正する処理を行わせることもできる。かかる補正を施すことで、更に見た目の違和感が解消され、より当該モールを目立たなくすることができる。
【００２８】
以上のようにして、生成されたプリント用画像データに基づく画像を被プリント媒体６にプリント（形成）し、プリント後の被プリント媒体６を上部側モールとして使用することで、モール敷設部分とその周囲との見た目の違和感が解消され、当該モール敷設部分を目立たなくすることが可能となる。
【００２９】
尚、本発明に係るプリント装置及びプリント方法は、上記実施形態に限定されるものではなく、本発明の要旨を逸脱しない範囲で種々の変更が可能である。
【００３０】
例えば、上記実施形態では、被プリント媒体６は、モールの一部（上部側モール）として使用されるプラスチック板であったが、これに限定されず、例えば、上部側モールに貼り付け可能なシート状の紙やフィルム（例えば、ポリエチレンテレフタレート（ＰＥＴ）製等）等であってもよい。また、この場合、被プリント媒体の構成は、接着層及び剥離層も備えるシール構造となっていてもよい。
【００３１】
また、上記実施形態では、モール敷設予定面（敷設部分）の全領域の画像データ（複数の原画像データ）を用いてプリント用画像データを生成しているが、一部領域の画像データを基にプリント用画像データを生成することも可能である。この場合、スキャン情報として、スキャンした領域と当該モールの敷設部分との位置関係情報を与えてやればよい。そして、画像生成部は、かかる位置関係情報を基に画像データ未取得の領域を特定し、該領域については、取得した原画像データの内容（色データ等）と同一にすることでプリント用画像データを生成することができる。この方法は、モール敷設部分が無模様（単一色）等の場合では、全領域をスキャンした場合と同様の効果を得られ、しかも、画像取得に係る手間が省け、画像処理に係る時間も短縮できるので特に有用である。
【図面の簡単な説明】
【００３２】
【図１】本発明の一実施形態に係るプリント装置の概略構成図である。
【図２】同実施形態において、モールの構成を説明するための図であり、（イ）は被プリント媒体（上部側モール）を示す図、（ロ）は各台座でケーブルを固定した状態における平面図（上部側モール嵌入前）、（ハ）は上部側モール嵌入後の断面図である。
【図３】同実施形態において、画像取得について説明するための図であり、（イ）は壁面とモール敷設予定面の領域の様子を示す図、（ロ）は読取装置の読み取り方法を示す図（その１）、（ハ）は読取装置の読み取り方法を示す図（その２）である。
【図４】同実施形態において、画像生成部の処理方法（その１）について説明するための図である。
【図５】同実施形態において、画像生成部の処理方法（その２）について説明するための図である。
【符号の説明】
【００３３】
１  プリント装置
２  入力部
３  画像生成部
４  ドライバ
５  ヘッドユニット
５Ｙ，５Ｍ，５Ｃ，５Ｋ  インクジェットヘッド
６  被プリント媒体
７  台座
７１  ケーブル挟持用突起
７２  係止部
８  ケーブル
９  敷設領域
３１  壁面
３２  読取装置
３３  位置合わせ手段
３４  センターライン
【図１】
2006218814.tif 000003
【図２】
2006218814.tif 000004
【図３】
2006218814.tif 000005
【図４】
2006218814.tif 000006
【図５】
2006218814.tif 000007